(57)【要約】【課題】  開示する温灸具は、治療作業中の施術者による監視負担を軽減させると共に、温熱刺激を与えるべき適切な個所に同時、かつ、広範囲に温熱刺激を加え、その結果、治療作業の効率及び治療効果を向上させる。【解決手段】  開示する温灸具は、セラミック又は石材を材料とし、所定の温度に温めて使用する第１温灸具と複数の第２温灸具とを含む温灸具であって、うつ伏せに寝ている人の頸部後部に布材を介して載置するためのものであって、上側が凹形状、下側が凸形状を成し、前記上側凹形状の底部と前記下側凸形状の山頂部とを結ぶ線上の片側一方が谷型形状を成す第１温灸具と、前記人の背骨上に布材を介して連なるように載置するためのものであって、上側中央と下側中央とを結ぶ線上の片側一方が谷型形状を成す第２温灸具と、を含むことを特徴とする。【選択図】図５
2018175462.tif 000002
【特許請求の範囲】
【請求項１】
セラミック又は石材を材料とし、所定の温度に温めて使用する第１温灸具と複数の第２温灸具とを含む温灸具であって、
うつ伏せに寝ている人の頸部後部に布材を介して載置するためのものであって、上側が凹形状、下側が凸形状を成し、前記上側凹形状の底部と前記下側凸形状の山頂部とを結ぶ線上の片側一方が谷型形状を成す第１温灸具と、
前記人の背骨上に布材を介して連なるように載置するためのものであって、上側中央と下側中央とを結ぶ線上の片側一方が谷型形状を成す第２温灸具と、を含むことを特徴とする温灸具。
【請求項２】
前記第１温灸具が、前記上側凹形状の底部と下側凸形状の山頂部とを結ぶ線上の片側他方が山型形状を成し、
前記第２温灸具が、前記上側中央と下側中央とを結ぶ線上の片側他方が山型形状を成すことを特徴とする請求項１に記載の温灸治療具。
【請求項３】
前記所定の温度が５０℃〜６０℃であり、前記第１温灸具及び前記第２温灸具を載置した部位であって、前記布材における前記人と接する部位が４５℃〜５０℃となることを特徴とする請求項１又は２に記載の温灸具。
【請求項４】
前記第１温灸具を、前記人の頸部後部に布材を介し、かつ、前記第１温灸具の前記谷型形状を前記人の頸椎に沿うように載置させ、
前記複数の第２温灸具を、前記人の背骨上に布材を介し、かつ、前記第２温灸具の前記谷型形状を前記人の背骨に沿うように連ねて載置させることを特徴とする請求項１乃至３の何れか一に記載の温灸具の使用方法。
【請求項５】
前記第１温灸具を、前記人の頸部後部に布材を介し、かつ、前記第１温灸具の前記山型形状を前記人の頸椎に沿うように載置させ、
前記複数の第２温灸具を、前記人の背骨上に布材を介し、かつ、前記第２温灸具の前記山型形状を前記人の背骨に沿うように連ねて載置させることを特徴とする請求項１乃至３の何れか一に記載の温灸具の使用方法。
【発明の詳細な説明】
【技術分野】
【０００１】
灸具の技術に関する。
【背景技術】
【０００２】
灸とは、漢方療法の一つであり、体表のつぼ（経穴）などの上にもぐさを置いて燃やす等し、温熱刺激を与え、治療効果を得るものである。温熱刺激を与える手段としては、もぐさを皮膚に乗せて火を点ける方法が標準とされるが、種々の灸法が存在する。
【０００３】
灸具とは、器具を使って灸を行う場合の当該器具をいい、また、“つぼ”などの加熱手段としては、例えば、もぐさ等の燃焼による加熱手段、電気的原理に基づく加熱手段、化学反応を利用した加熱手段、そして、蓄熱材を使用する加熱手段等が存在する。
【０００４】
灸は伝統的な代替医療、民間療法であるが、上記のような灸具、“つぼ”などの加熱手段に関する研究・開発が盛んに行われている。例えば、特許文献１では、「遠赤外線による人体への生理活性効果を高めるとともに、遠赤外線によって人体に与える温感（気持ちよさ）を改善し、何回でも繰り返して使用できるようにして経済性を高める」溶岩温灸が提案されている。
【先行技術文献】
【特許文献】
【０００５】
【特許文献１】特開２００５−１１０８６８号公報
【発明の概要】
【発明が解決しようとする課題】
【０００６】
しかしながら、上記のような従来技術においては、灸治療を受ける人の上に灸具を安定的に載置させることが困難で、灸具による火傷を防止する観点から施術者による灸具の監視負担が大きくなり、その結果、治療作業の効率が低下するという問題点があった。
【０００７】
また、上記のような従来技術においては、温熱刺激を与えるべき箇所が広範囲に渡るにもかかわらず、適切な個所に同時、かつ、広範囲に温熱刺激を加えることができないという問題点もあった。
【０００８】
そこで本発明では、上記問題点に鑑み、治療作業中の施術者による監視負担を軽減させると共に、温熱刺激を与えるべき適切な個所に同時、かつ、広範囲に温熱刺激を加え、その結果、治療作業の効率及び治療効果を向上させる温灸具を提供することを目的とする。
【課題を解決するための手段】
【０００９】
開示する温灸具の一形態は、セラミック又は石材を材料とし、所定の温度に温めて使用する第１温灸具と複数の第２温灸具とを含む温灸具であって、うつ伏せに寝ている人の頸部後部に布材を介して載置するためのものであって、上側が凹形状、下側が凸形状を成し、前記上側凹形状の底部と前記下側凸形状の山頂部とを結ぶ線上の片側一方が谷型形状を成す第１温灸具と、前記人の背骨上に布材を介して連なるように載置するためのものであって、上側中央と下側中央とを結ぶ線上の片側一方が谷型形状を成す第２温灸具と、を含むことを特徴とする。
【発明の効果】
【００１０】
開示する温灸具は、治療作業中の施術者による監視負担を軽減させると共に、温熱刺激を与えるべき適切な個所に同時、かつ、広範囲に温熱刺激を加え、その結果、治療作業の効率及び治療効果を向上させる。
【図面の簡単な説明】
【００１１】
【図１】本実施の形態に係る第１温灸具の形状を示す図である。（ａ）平面図、（ｂ）断面図。
【図２】本実施の形態に係る第１温灸具の使用状態を示す断面図である。（ａ）第１の使用形態、（ｂ）第２の使用形態。
【図３】本実施の形態に係る第２温灸具の形状を示す図である。（ａ）平面図、（ｂ）断面図。
【図４】本実施の形態に係る第２温灸具の使用状態を示す断面図である。（ａ）第１の使用形態、（ｂ）第２の使用形態。
【図５】本実施の形態に係る温灸具の使用方法を説明する平面図である。
【発明を実施するための形態】
【００１２】
図面を参照しながら、本発明を実施するための形態について説明する。
（本実施の形態に係る温灸具の構造）
【００１３】
図１乃至４を用いて、本実施の形態に係る温灸具１の構造について説明する。温灸具１は、第１温灸具２、複数の第２温灸具１６から構成される。図１及び２は、第１温灸具２を説明する図であり、図３及び４は、第２温灸具１６を説明する図である。
【００１４】
第１温灸具２は、うつ伏せに寝ている人３０の頸部後部３４に布材３８を介して載置させ、載置した部位に温熱刺激を与えるための部材である。第１温灸具２は、所定の温度（５０℃乃至６０℃程度）に温めて使用し、使用開始時の温度を長く継続させるため、その材質がセラミック又は石材（例えば、天然石など）であることが好適である。
【００１５】
第１温灸具２は、ポットやそれに類似する器具又は電子レンジを使用し、所定の温度に温めて使用することが好適である。なお、第１温灸具２は布材３８を介して被治療者３０上に載置させるが、治療効果を高めるため、布材３８における人３０と接する部位が４５℃〜５０℃となるように布材３８の厚みを調整する。つまり、第１温灸具２が人３０を加温する温度が４５℃〜５０℃となるようにする。
【００１６】
図１（ａ）が示すように、第１温灸具２は、上側４が凹形状、下側８が凸形状を成し、図１（ｂ）が示すように、上側凹形状の底部６と下側凸形状の山頂部１０とを結ぶ線上の片側一方が谷型形状１２を成す。また、図１（ｂ）が示すように、上側凹形状の底部６と下側凸形状の山頂部１０とを結ぶ線上の片側他方が山型形状１４を成す。
【００１７】
図２は、第１温灸具２の使用状態を示す断面図である。図２（ａ）で示すように、被治療者３０がやせ形や普通の体格であり、頸部後部３４が出っ張っている場合、第１温灸具２が直接的に骨に触れないものの、その周辺を温める効果を高めるために、第１温灸具２の窪んだ部位１２を頸部後部３４の出っ張っている部位に合うように載置する。
【００１８】
一方、図２（ｂ）で示すように、被治療者３０の頸椎周りの筋肉が発達し、頸椎上部の周囲にある筋肉が相対的に隆起している場合、第１温灸具２の姿勢を安定させるために、両端をその隆起している部位に当て、山型の部位１４を頸部３２側に向けて載置する。
【００１９】
なお、第１温灸具２の大きさは、上下が１３ｃｍ程度、左右が１２．５ｃｍ程度、厚さが２ｃｍ程度であり、谷型１２・山型１４の幅が５ｃｍ、谷型１２の深さ・山型１４の高さがそれぞれ１ｃｍ程度であることが好適である。ただし、第１温灸具２の大きさは、適宜変更可能である。
【００２０】
第２温灸具１６は、うつ伏せに寝ている人３０の背骨３６上に布材３８を介して載置させ、載置した部位に温熱刺激を与えるための部材である。第２温灸具１６は、所定の温度（５０℃乃至６０℃程度）に温めて使用し、使用開始時の温度を長く継続させるため、その材質がセラミック又は石材（例えば、天然石など）であることが好適である。
【００２１】
第２温灸具１６は、ポットやそれに類似する器具又は電子レンジを使用し、所定の温度に温めて使用することが好適である。なお、第２温灸具１６は、布材３８を介して被治療者３０上に載置させるため、布材３８における人３０と接する部位が４５℃〜５０℃となるように布材３８の厚みを調整する。つまり、第２温灸具１６が人３０を加温する温度が４５℃〜５０℃となるようにする。
【００２２】
図３で示すように、第２温灸具１６において、上側中央２０と下側中央２４とを結ぶ線上の片側一方が谷型形状２６を成す。また、図３で示すように、第２温灸具１６において、上側中央２０と下側中央２４とを結ぶ線上の片側他方が山型形状２８を成す。
【００２３】
図４は、第２温灸具１６の使用状態を示す断面図である。図４（ａ）で示すように、被治療者３０がやせ形や普通の体格であり、背骨３６が出っ張っている場合、第２温灸具１６が直接的に骨に触れないものの、その周辺を温める効果を高めるために、第２温灸具１６の窪んだ部位２６を背骨３６の出っ張っている部位に合うように載置する。
【００２４】
一方、図４（ｂ）で示すように、被治療者３０の背骨３６周りの筋肉が発達し、背骨３６上部の周囲にある筋肉が相対的に隆起している場合、第２温灸具１６の姿勢を安定させるために、両端をその隆起している部位に当て、山型２８の部位を背骨３６側に向けて載置する。
【００２５】
なお、第２温灸具１６の大きさは、上下が１５ｃｍ程度、左右が１２．５ｃｍ程度、厚さが３ｃｍ程度であり、谷型２６・山型２８の幅が５ｃｍ、谷型２６の深さ・山型２８の高さがそれぞれ１ｃｍ程度であることが好適である。ただし、第２温灸具１６の大きさは、適宜変更可能である。
【００２６】
第１温灸具２と第２温灸具１６とでは、その形状・大きさ・厚さに違いがあるが、第１温灸具２の仕様は、第１温灸具２が頸動脈及びその周辺を温めることに基づく、脳貧血を起こすリスクを軽減させるために採用されるものである。
（本実施の形態に係る温灸具の使用方法）
【００２７】
図１乃至５を用いて、温灸具１の使用方法について説明する。図５は、温灸具１の使用方法を説明する図である。なお、以下の説明において、被治療者３０は、うつ伏せの姿勢で治療台等の上に横たわっているものとする。
【００２８】
はじめに、温灸具１の使用者（施術者）は、第１温灸具２及び複数の第２温灸具１６を、ポットやそれに類似する器具又は電子レンジを使用し、所定の温度（５０℃〜６０℃程度）に温める。
【００２９】
図５で示すように、次に、温灸具１の使用者は、温めた第１温灸具２を、凹形状の方（上側）４を被治療者３０の頭側に向け、凸形状の方（下側）８を被治療者３０の背中側に向けた状態で、被治療者３０の頸部後部３４に布材３８を介して載置させる。
【００３０】
このとき、図２（ａ）で示すように、被治療者３０がやせ形や普通の体格であり、頸部後部３４が出っ張っている場合、第１温灸具２の窪んだ部位１２を頸部後部３４の出っ張っている部位に合うように載置する。
【００３１】
また、図２（ｂ）で示すように、被治療者３０の頸椎周りの筋肉が発達し、頸椎上部の周囲にある筋肉が相対的に隆起している場合、第１温灸具２の姿勢を安定させるために、両端をその隆起している部位に当て、第１温灸具２の山型の部位１４を頸部３２側に向けて載置する。
図５で示すように、さらに、温灸具１の使用者は、複数の第２温灸具１６を、被治療者３０の背骨３６上に、布材３８を介して連なるように載置する。
【００３２】
このとき、図４（ａ）で示すように、被治療者３０がやせ形や普通の体格であり、背骨３６が出っ張っている場合、第２温灸具１６の窪んだ部位２６を背骨３６の出っ張っている部位に合うように載置する。
【００３３】
一方、図４（ｂ）で示すように、被治療者３０の背骨３６周りの筋肉が発達し、背骨３６上部の周囲にある筋肉が相対的に隆起している場合、第２温灸具１６の姿勢を安定させるために、両端をその隆起している部位に当て、第２温灸具１６の山型の部位２８を背骨３６側に向けて載置する。
【００３４】
温灸具１の使用者は、被治療者３０上に第１温灸具２及び第２温灸具１６を載置させた後、他の患部のマッサージや鍼治療を行う。温灸具１は、被治療者３０を直ぐに火傷させるほど高温ではないことに加え、温灸具１の姿勢が被治療者３０上において安定しているため、使用者の温灸具１に対する監視負担が軽減される。こうすることで、温灸具１は、適切な場所へ温熱刺激を与えつつ、他の多くの患部にアプローチすることを可能とする。
【００３５】
温灸具１は、温灸具１の姿勢が被治療者３０上において安定しているため、複数の器具２、１６を同時に使用することが可能であり、それによって、被治療者３０に対し同時、かつ、広範囲に温熱刺激を与えることができる。
【００３６】
上記した理由に基づいて、温灸具１は、治療作業中の施術者による監視負担を軽減させると共に、温熱刺激を与えるべき適切な個所に同時、かつ、広範囲に温熱刺激を加え、その結果、治療作業の効率及び治療効果を向上させることができる。
【００３７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３８】
１    温灸具
２    第１温灸具
４    上側
６    上側凹形状の底部
８    下側
１０  下側凸形状の山頂部
１２  谷型形状
１４  山型形状
１６  第２温灸具
１８  上側
２０  上側中央
２２  下側
２４  下側中央
２６  谷型形状
２８  山型形状
３０  被治療者（うつ伏せに寝ている人）
３２  頸部
３４  頸部後部
３６  背骨
３８  布材
【図１】
2018175462.tif 000003
【図２】
2018175462.tif 000004
【図３】
2018175462.tif 000005
【図４】
2018175462.tif 000006
【図５】
2018175462.tif 000007